(57)【要約】  第１容器の給排口と第２容器の給排口とを連結する容器連結具と、ノズル筒部を有する単一のノズル部材と、一端側にノズル部材のノズル基部を保持し他端側が容器連結具の外周部に嵌合して容器連結具を覆う連結キャップと、各給排口に対向する一対の押圧子を備え連結キャップ内にてノズル筒部の長手軸に沿った方向に移動可能に保持される中間アダプタと、中間アダプタを容器連結具側へ移動させ押圧子により給排口を開栓する給排口開栓機構と、を備えており、種類の異なる流体をそれぞれ貯留する２本の容器を並列配置状態で一体的に組み立てて流体容器ユニットを構成するに際して、流体使用機器の注入部への取付作業性がより良好で、また、注入部をよりコンパクト化できるようにする。
2010044442.tif 000002
【特許請求の範囲】
【請求項１】
種類の異なる流体をそれぞれ貯留する第１容器と第２容器とを、並列配置した状態で一体的に組み立ててなる流体容器ユニットであって、
前記第１容器の一端側に位置する第１給排口と前記第２容器の一端側に位置する第２給排口とを連結する容器連結具と、
ノズル筒部を有する単一のノズル部材と、
一端側に前記ノズル部材の基部を保持し、他端側が前記容器連結具の外周部に嵌合して、前記容器連結具の一側を覆う連結キャップと、
前記第１給排口及び前記第２給排口にそれぞれ対向する一対の押圧子を備え、前記連結キャップ内にて前記ノズル筒部の長手軸に沿った方向に移動可能に保持される中間アダプタと、
該中間アダプタを前記容器連結具側へ移動させ、前記一対の押圧子により前記第１給排口及び第２給排口を開栓する給排口開栓機構と、
を備えている、ことを特徴とする流体容器ユニット。
【請求項２】
前記ノズル部材の基部は、前記連結キャップの一端側に、前記ノズル筒部の長手軸を中心にして回動可能に保持され、
前記ノズル部材は、流体使用機器の注入部に対し取り外し可能に取り付けられるように構成されており、
前記給排口開栓機構は、前記ノズル部材の内面側に設けられ当該ノズル部材の回動方向に沿って傾斜する第１傾斜面部と、前記中間アダプタの外面側に設けられ前記第１傾斜面部と組み合わされる第２傾斜面部とを備え、
前記ノズル部材が一方向に所要角度回動させられることにより、前記第１傾斜面部が一方向に所要角度回動して前記第２傾斜面部を反ノズル部材側へ押圧し、前記中間アダプタが前記連結具側へ所定量移動させられて、前記一対の押圧子が前記第１給排口及び第２給排口を開栓する、
ことを特徴とする請求項１に記載の流体容器ユニット。
【請求項３】
前記ノズル部材の前記ノズル筒部を前記流体使用機器の注入部に挿入し、この挿入状態で前記ノズル部材を一方向に所要角度回動させることにより、前記ノズル筒部が前記流体使用機器の注入部に対し取り外し可能に取り付けられ、且つ、前記中間アダプタが前記容器連結具側へ所定量移動させられて前記一対の押圧子が前記第１給排口及び第２給排口を開栓する、ことを特徴とする請求項２に記載の流体容器ユニット。
【請求項４】
前記ノズル筒部が前記流体使用機器の注入部に取り付けられてない非取付状態で、前記一対の押圧子を前記第１給排口及び第２給排口から離間状態に維持する位置に前記中間アダプタを保持するアダプタ保持機構を更に備えている、ことを特徴とする請求項１から３の何れか一に記載の流体容器ユニット。
【請求項５】
前記アダプタ保持機構は、前記ノズル部材の内面側に設けられたアダプタ係止部と、前記中間アダプタの外面側に設けられ前記アダプタ係止部と組み合わされる被係止部とを備えており、
中間アダプタの前記被係止部がノズル部材の前記アダプタ係止部に係止されたアダプタ係止状態で、前記一対の押圧子が前記第１給排口及び第２給排口から離間状態に維持される位置に前記中間アダプタが保持され、
前記アダプタ係止状態から前記ノズル部材が一方向に回動させられることにより、前記アダプタ係止部が一方向に回動して前記被係止部から離脱し、前記アダプタ係止状態が解除され前記中間アダプタの保持状態が解除されて、当該中間アダプタが前記容器連結具側へ移動可能となる、
ことを特徴とする請求項４に記載の流体容器ユニット。
【請求項６】
前記ノズル部材の基部は前記連結キャップの一端側に嵌合保持され、前記ノズル部材の基部と前記連結キャップとの嵌合部には、前記中間アダプタに前記容器連結具側への前記所定量の移動を行わせるに足るノズル部材の所要回動角度に対応して、前記ノズル部材の回動操作に節度感を付与する節度感付与機構が設けられており、
前記ノズル部材の前記所要回動角度は、前記ノズル筒部を前記流体使用機器の注入部への取付状態とするに足る前記ノズル部材の回動角度よりも所定角度だけ大きく設定されている、
ことを特徴とする請求項２から５の何れか一に記載の流体容器ユニット。
【請求項７】
前記第１給排口及び第２給排口には、前記ノズル筒部が前記流体使用機器の注入部に取り付けられてない非取付状態で、当該第１給排口及び第２給排口をそれぞれ閉栓する第１閉栓シール片及び第２閉栓シール片が装着されており、
前記一対の押圧子は前記第１給排口及び第２給排口の各閉栓シール片を押し開いて開栓し、
この押し開かれた閉栓シール片によって給排口が２つの開口に仕切られ、一方の開口を通って容器内の流体がノズル部材側に供給され、他方の開口を通って容器内にエアが導入される、
ことを特徴とする請求項１から６の何れか一に記載の流体容器ユニット。
【請求項８】
前記第１容器及び第２容器は、その一端側からそれぞれ突出し前記第１給排口及び第２給排口を内側に形成した第１給排筒及び第２給排筒を有しており、
前記容器連結具は、前記第１給排筒と第２給排筒とを連結する連結壁部と、所定間隔を隔てて該連結壁部を取り囲む外周壁部と、該外周壁部の他端と前記連結壁部の他端とを連結する平坦部とを備え、
前記中間アダプタは、前記一対の押圧子を取り囲むアダプタ壁部を有しており、
前記中間アダプタが前記連結具側へ移動させられて、前記一対の押圧子が前記第１給排口及び第２給排口を開栓した状態では、前記アダプタ壁部の端面が前記容器連結具の平坦部に当接している、
ことを特徴とする請求項１から７の何れか一に記載の流体容器ユニット。
【請求項９】
前記容器連結具の連結壁部および外周壁部ならびに前記アダプタ壁部の少なくとも何れか１つには、該アダプタ壁部を前記連結壁部および外周壁部の少なくとも何れか一方に係止させて、前記アダプタ壁部の端面を前記容器連結具の平坦部への当接状態に保持するアダプタ壁部保持機構が設けられている、ことを特徴とする請求項８に記載の流体容器ユニット。
【請求項１０】
前記連結キャップの他側には前記第１容器及び第２容器の各側壁を係止するための容器側壁係止部が設けられる一方、前記第１容器及び第２容器の各側壁には、前記容器側壁係止部にそれぞれ係止される被係止部が設けられている、ことを特徴とする請求項１から９の何れか一に記載の流体容器ユニット。
【発明の詳細な説明】
【技術分野】
【０００１】
この発明は、種類の異なる流体をそれぞれ貯留する２本の容器を一体的に組み立ててなる流体容器ユニットに関する。
【背景技術】
【０００２】
従来、例えば比較的小物の医療用器具などの洗浄や消毒を行う場合、例えば予備洗浄などの前処理を済ませた対象器具を一定容積の容器（洗浄消毒槽）内にセットすると共に、この洗浄消毒槽内にて、所定の薬液（洗浄液や消毒液）をシャワー吹き付けや浸漬等により対象器具の表面に適用することによって洗浄処理や消毒処理を行う方法は、一般に幅広く採用されている。例えば、特許文献１には、かかる方法を用いて内視鏡の洗浄・消毒処理を行うようにした内視鏡洗浄消毒装置が開示されている。【０００３】
このような消毒処理に用いられる薬液として、２種類の薬液を混合させて対象物表面に適用することにより高い消毒効果が得られるようにしたものが知られている。このタイプの薬液を用いる場合、混合すべき２種類の薬液をそれぞれ貯えた２本のボトルを用意し、薬液使用機器（例えば内視鏡洗浄消毒装置）の薬液タンクの注入部に前記２本のボトルを順次取り付けて、２種類の薬液を順次タンク内に供給するのが普通である。
【特許文献１】特開２００６−４３１９０号公報
【発明の開示】
【発明が解決しようとする課題】
【０００４】
しかしながら、このように２種類の薬液をそれぞれ貯えた２本のボトルを用意し、この２本のボトルを薬液タンクの薬液注入部に順次取り付けて薬液供給を行う方法では、薬液タンクへの薬液供給作業が非常に煩雑で手間の掛かるものとなり、また、ボトルを取り違えて誤使用する可能性もある。【０００５】
このため、各薬液をそれぞれ貯留する２本のボトルを１組にして一体的に取り扱えるようにユニット化することが考えられる。この場合、２本のボトルの中心線が平行となるように並列配置した状態でユニット化するのが便利である。このようにユニット化しておくことにより、２種類のボトルを取り違えることなく薬液タンクの注入部に取り付け、当該タンク内に２種類の薬液を同時に注入することが可能になる。【０００６】
しかし、単に２本のボトルを並列配置状態でユニット化したのでは、ユニットの注入側には２つの注ぎ口が並ぶこととなる。従って、薬液使用機器の薬液タンクの注入部も２つの注ぎ口を受け合うものでなければならず、薬液使用機器のコンパクト化を図る上で一つの阻害要因となる。また、薬液使用機器の薬液タンクの注入部にユニットの注ぎ口を取り付ける際には、２つの注ぎ口それぞれについて注入部の受け口に精確に合わせて取り付けなければならず、取付作業性の向上を図る上でも不利である。【０００７】
そこで、この発明は、種類の異なる流体をそれぞれ貯留する２本の容器を一体的に取り扱えるようにユニット化するに際して、流体使用機器の注入部への取付作業性がより良好で、また、注入部をよりコンパクトにすることができる、流体容器ユニットを提供することを基本的な目的としてなされたものである。
【課題を解決するための手段】
【０００８】
このため、本願発明に係る流体容器ユニットは、種類の異なる流体をそれぞれ貯留する第１容器と第２容器とを、並列配置した状態で一体的に組み立ててなる流体容器ユニットであって、第１容器の一端側に位置する第１給排口と第２容器の一端側に位置する第２給排口とを連結する容器連結具と、ノズル筒部を有する単一のノズル部材と、一端側に前記ノズル部材の基部を保持し、他端側が前記容器連結具の外周部に嵌合して、容器連結具の一側を覆う連結キャップと、第１給排口及び第２給排口にそれぞれ対向する一対の押圧子を備え、連結キャップ内にてノズル筒部の長手軸に沿った方向に移動可能に保持される中間アダプタと、該中間アダプタを容器連結具側へ移動させ、前記一対の押圧子により第１給排口及び第２給排口を開栓する給排口開栓機構と、を備えている、ことを特徴としたものである。
この構成においては、第１容器と第２容器とが、第１給排口と第２給排口とを連結する容器連結具によって堅固に一体化される。また、中間アダプタが連結キャップ内にてノズル筒部の長手軸に沿って容器連結具側に移動することで、中間アダプタに設けた一対の押圧子により第１給排口及び第２給排口が開栓されて、第１容器及び第２容器内の流体が同時に排出され、混合状態で流体使用機器の注入部に注入される。更に、流体容器ユニットの一端側（注入側）には単一のノズルが設けられているだけであるので、２つの注ぎ口を取り扱う場合に比して、流体容器ユニットの取付作業性が良好で、また、流体使用機器の注入部もコンパクトにできる。【０００９】
この場合において、好ましくは、前記ノズル部材の基部は、連結キャップの一端側に、前記ノズル筒部の長手軸を中心にして回動可能に保持され、ノズル筒部は、流体使用機器の注入部に対し取り外し可能に取り付けられるように構成されている。また、前記給排口開栓機構は、ノズル部材の内面側に設けられ当該ノズル部材の回動方向に沿って傾斜する第１傾斜面部と、前記中間アダプタの外面側に設けられ前記第１傾斜面部と組み合わされる第２傾斜面部とを備えている。そして、ノズル部材が一方向に所要角度回動させられることにより、前記第１傾斜面部が一方向に所要角度回動して前記第２傾斜面部を反ノズル部材側へ押圧し、前記中間アダプタが前記連結具側へ所定量移動させられて、前記一対の押圧子が前記第１給排口及び第２給排口を開栓する。
この構成においては、ノズル部材の基部は、連結キャップの一端側に、前記ノズル筒部の長手軸を中心にして回動可能に保持され、ノズル筒部は、流体使用機器の注入部に対し取り外し可能に取り付けられるように構成されており、ノズル部材を一方向に所要角度回動させるだけで、第１斜面部と第２斜面部とを介して、確実に、中間アダプタが容器連結具側へ所定量移動させられ一対の押圧子が第１給排口及び第２給排口を開栓する。【００１０】
また、この場合において、より好ましくは、ノズル部材のノズル筒部を流体使用機器の注入部に挿入し、その挿入状態でノズル部材を一方向に所要角度回動させることにより、ノズル筒部が流体使用機器の注入部に対し取り外し可能に取り付けられ、且つ、中間アダプタが容器連結具側へ所定量移動させられて前記一対の押圧子が第１給排口及び第２給排口を開栓する。
この構成においては、ノズル筒部を流体使用機器の注入部に挿入し、その挿入状態でノズル部材を連結キャップに対して回動させることにより、ワンタッチで、ノズル筒部が流体使用機器の注入部に取り外し可能に取り付けられ、しかも、中間アダプタに設けた一対の押圧子により第１給排口及び第２給排口が開栓されて、第１容器及び第２容器内の流体が同時に排出され、混合状態で流体使用機器の注入部に注入される。【００１１】
以上の場合において、前記ノズル筒部が流体使用機器の注入部に取り付けられてない非取付状態で、一対の押圧子を第１給排口及び第２給排口から離間状態に維持する位置に前記中間アダプタを保持するアダプタ保持機構を更に備えている、ことがより好ましい。
この構成においては、前記非取付状態で一対の押圧子が第１給排口及び第２給排口を開栓することが確実に防止される。【００１２】
この場合において、より好ましくは、前記アダプタ保持機構は、ノズル部材の内面側に設けられたアダプタ係止部と、中間アダプタの外面側に設けられ前記アダプタ係止部と組み合わされる被係止部とを備えており、中間アダプタの前記被係止部がノズル部材のアダプタ係止部に係止されたアダプタ係止状態で、一対の押圧子が第１給排口及び第２給排口から離間状態に維持される位置に中間アダプタが保持されている。そして、アダプタ係止状態からノズル部材が一方向に回動させられることにより、アダプタ係止部が一方向に回動して被係止部から離脱し、アダプタ係止状態が解除され中間アダプタの保持状態が解除されて、当該中間アダプタが容器連結具側へ移動可能となる。
この構成においては、アダプタ係止状態を維持することで、確実に一対の押圧子が第１給排口及び第２給排口から離間状態に維持され、このアダプタ係止状態からノズル部材を一方向に回動させるだけで、確実に一対の押圧子を備えた中間アダプタが容器連結具側へ移動可能となる。【００１３】
また、より好ましくは、前記ノズル部材の基部は連結キャップの一端側に嵌合保持され、前記ノズル部材の基部は前記連結キャップとの嵌合部には、中間アダプタに容器連結具側への所定量の移動を行わせるに足るノズル部材の所要回動角度に対応して、ノズル部材の回動操作に節度感を付与する節度感付与機構が設けられており、ノズル部材の所要回動角度は、ノズル筒部を流体使用機器の注入部への取付状態とするに足るノズル部材の回動角度よりも所定角度だけ大きく設定されている。
この構成においては、ノズル部材の回動操作に際して、中間アダプタが容器連結具側へ所定量移動して一対の押圧子が第１給排口及び第２給排口を開栓したことが、回動操作時の節度感により感知される。また、この節度感が感知された時点では、ノズル筒部が流体使用機器の注入部に確実に取り付けられている。【００１４】
以上の場合において、より好ましくは、前記第１給排口及び第２給排口には、ノズル筒部が流体使用機器の注入部に取り付けられてない非取付状態で、当該第１給排口及び第２給排口をそれぞれ閉栓する第１閉栓シール片及び第２閉栓シール片が装着されており、前記一対の押圧子は第１給排口及び第２給排口の各閉栓シール片を押し開いて開栓し、この押し開かれた閉栓シール片によって給排口が２つの開口に仕切られる。そして、一方の開口を通って容器内の流体がノズル部材側に供給され、他方の開口を通って容器内にエアが導入される。
この構成においては、押圧子で押し開かれた閉栓シール片が給排口を２つの開口に仕切り、一方の開口から容器内の流体がノズル部材側に供給され、他方の開口から容器内にエアが導入されることにより、容易にエアが容器内に導入され、脈動が抑制されたスムースな流体供給が行える。【００１５】
また、以上の場合において、より好ましくは、前記第１容器及び第２容器は、その一端側からそれぞれ突出し第１給排口及び第２給排口を内側に形成した第１給排筒及び第２給排筒を有しており、前記容器連結具は、第１給排筒と第２給排筒とを連結する連結壁部と、所定間隔を隔てて該連結壁部を取り囲む外周壁部と、該外周壁部の他端と前記連結壁部の他端とを連結する平坦部とを備え、中間アダプタは、前記一対の押圧子を取り囲むアダプタ壁部を有している。そして、中間アダプタが容器連結具側へ移動させられて、前記一対の押圧子が第１給排口及び第２給排口を開栓した状態では、前記アダプタ壁部の端面が容器連結具の平坦部に当接している。
この構成においては、一対の押圧子が第１給排口及び第２給排口を開栓した状態ではアダプタ壁部の端面が容器連結具の平坦部に当接していることにより、第１給排口及び第２給排口から排出された流体がアダプタ壁部の外部に漏れ出ることが抑制される。【００１６】
この場合において、より好ましくは、前記容器連結具の連結壁部および外周壁部ならびに前記アダプタ壁部の少なくとも何れか１つには、該アダプタ壁部を前記連結壁部および外周壁部の少なくとも何れか一方に係止させて、アダプタ壁部の端面を容器連結具の平坦部への当接状態に保持するアダプタ壁部保持機構が設けられている。
この構成においては、アダプタ壁部の端面は、より確実かつ安定して、容器連結具の平坦部への当接状態に保持される。【００１７】
また、以上の場合において、より好ましくは、前記連結キャップの他側には第１容器及び第２容器の各側壁を係止するための容器側壁係止部が設けられる一方、第１容器及び第２容器の各側壁には、前記容器側壁係止部にそれぞれ係止される被係止部が設けられている。
この構成においては、第１容器及び第２容器は、その一側の第１給排口及び第２給排口どうしが容器連結具によって連結されるだけでなく、各容器の側壁が連結キャップの他側に係止されることで、より強固に一体化され、例えばユニット全体の捩れ変形なども有効に抑制される。
【発明の効果】
【００１８】
本願発明によれば、種類の異なる流体をそれぞれ貯留する第１容器及び第２容器を並列配置状態で一体的に組み立ててなる流体容器ユニットにおいて、第１容器の一端側に位置する第１給排口と第２容器の一端側に位置する第２給排口とを容器連結具で連結したことにより、第１容器と第２容器とを堅固に一体化して組み立てることができる。また、給排口開栓機構を設けたことにより、連結キャップ内にて中間アダプタをノズル筒部の長手軸に沿って容器連結具側に移動させて、中間アダプタに設けた一対の押圧子で第１給排口及び第２給排口を開栓させ、第１容器及び第２容器内の流体を同時に排出させて流体使用機器の注入部へ注入することができる。更に、流体容器ユニットの一端側（注入側）には単一のノズルが設けられているだけであり、この単一のノズルを介して第１容器及び第２容器内の流体が流体使用機器の注入部へ注入されるので、２つの注ぎ口が並んでいる場合に比して、流体使用機器の注入部への取付作業をより簡単かつ迅速に行えるようになり、その作業性が大いに向上する。また更に、第１給排口及び第２給排口から同時に排出された第１容器及び第２容器内の流体は、単一のノズル部材を介して送出される過程で混合され、この混合状態で流体使用機器の注入部へ注入されるので、より良好な混合状態を得ることも可能になる。また更に、流体容器ユニットの注入側には単一のノズルが設けられているだけであるので、流体使用機器の注入部もこの単一のノズルを受け合うだけでよく、２つの注ぎ口を受け合う場合に比して、流体使用機器の注入部をよりコンパクトにすることができる。
【図面の簡単な説明】
【００１９】
【図１】本発明の実施形態に係る流体容器ユニットの全体構成を非使用状態において示す全体斜視図である。
【図２】図１のＹ２−Ｙ２線に沿った流体容器ユニットの全体縦断面図である。
【図３】図２の要部を拡大して示す流体容器ユニットの要部拡大縦断面図である。
【図４】前記流体容器ユニットの使用状態を示す図で、図３に対応した要部拡大縦断面図である。
【図５】図１のＹ５−Ｙ５線に沿った流体容器ユニットの横断面を示す斜視図である。
【図６】容器連結具の全体斜視図である。
【図７】図４のＹ７−Ｙ７線に沿った容器連結具とアダプタ壁部の断面の要部を示す説明図である。
【図８】容器連結具と中間アダプタとを組み付けた組付状態を連結具側から見て示した説明図である。
【図９】ノズル部材の全体斜視図である。
【図１０】前記ノズル部材をノズル基部側から見て示した説明図である。
【図１１】図３のＹ１１−Ｙ１１線に沿ったノズル部材と連結キャップの断面の要部を示す説明図である。
【図１２】中間アダプタの全体斜視図である。
【図１３】中間アダプタの側面図である。
【図１４】中間アダプタと前記ノズル部材との組み合わせ状態を示す部分断面斜視図である。
【図１５】中間アダプタと前記ノズル部材及び連結キャップとの組付状態を示す部分断面斜視図である。
【符号の説明】
【００２０】
１…流体容器ユニット
１０Ａ…第１容器
１０Ｂ…第２容器
１０ｇ…嵌合溝
１１…給排筒
１６…給排口
１６ａ…内側開口
１６ｂ…外側開口
１８…閉栓シール
２０…容器連結具
２１…連結壁部
２５…外周壁部
２５ｐ…係止突起
２７…平坦部
３０…ノズル部材
３０ｄ…アダプタ係止爪
３０ｆ…第１傾斜面部
３１…ノズル筒部
３４…ノズル基部
３４ｐ…微小突起
４０…連結キャップ
４３…ノズルホルダ部
４３ｃ…係合凹部
４７…容器側壁係止片
４８…係止リブ
５０…中間アダプタ
５０ｆ…第２傾斜面部
５０ｇ…係止溝
５１…アダプタ筒部
５６…アダプタ壁部
５８…押圧子
【発明を実施するための最良の形態】
【００２１】
以下、本発明の実施形態について、添付図面を参照しながら説明する。
図１は本実施形態に係る流体容器ユニットの全体構成を非使用状態において示す全体斜視図、図２は図１のＹ２−Ｙ２線に沿った流体容器ユニットの全体縦断面図、図３は図２の要部を拡大して示す流体容器ユニットの要部拡大縦断面図、図４は前記流体容器ユニットの使用状態を示すもので図３に対応した要部拡大縦断面図である。また、図５は図１のＹ５−Ｙ５線に沿った流体容器ユニットの横断面を示す斜視図である。【００２２】
尚、本実施形態に係る流体容器ユニット１は、保管時や輸送時を含む非使用時には、通常、各容器１０Ａ，１０Ｂの底面１９を下方にノズル３１の先端を上方に向けて置かれる（図１及び図２参照）。一方、使用時、流体使用機器（例えば、内視鏡洗浄装置の洗浄剤タンク：不図示）の注入部に取り付ける際には、注入部の取り合い方向に応じて、ノズル３１の先端が下方に向けられるように上下を逆向きにして（図４参照）、或いはノズル３１の先端を斜め下方に向けて、用いられるものである。
このように、通常、非使用時と使用時とで流体容器ユニット１の上下の方向性が異なるので、以下の説明においては、非使用時における上側（図１及び図２における上側：ノズル３１の先端側）を「一側」と称し、非使用時における下側（図１及び図２における下側：容器底面１９側）を「他側」と称するものとする。従って、流体容器ユニット１の前記「一側」が、容器使用時における流体の排出側に該当する。【００２３】
図１及び図２から良く分かるように、本実施形態に係る流体容器ユニット１は、種類の異なる流体をそれぞれ貯留する第１容器１０Ａと第２容器１０Ｂとを、各容器１０Ａ，１０Ｂの長手方向（図１及び図２における上下方向）の中心線が実質的に平行となるように並列配置した状態で、一体的に組み立ててユニット化して構成されている。【００２４】
前記流体容器ユニット１は、例えば、内視鏡洗浄装置の消毒剤タンク（共に不図示）に所定の消毒剤を供給するのに用いられるもので、第１容器１０Ａ，第２容器１０Ｂには、内視鏡の消毒処理に用いる液状の消毒剤の第１剤，剤２剤がそれぞれ貯えられている。これら第１剤，第２剤は、混合することによって高い消毒・殺菌力を発現するものであり、十分に混合させた状態で用いられる。【００２５】
このように、２種類の異なる流体（第１剤，第２剤）を混合して用いるに際して、各流体をそれぞれ貯留する２本の容器（第１容器１０Ａ，第２容器１０Ｂ）を一体的に組み立ててユニット化しておくことにより、２種類の流体容器を取り違えることなく流体使用機器（内視鏡洗浄装置の消毒剤タンク）の注入部に取り付け、当該機器内に２種類の流体を同時に注入することができる。従って、各流体容器１０Ａ，１０Ｂを単体で個別に取り扱う場合に比して、流体容器の取り違え等による誤使用を確実に防止でき、また、流体使用機器の注入部への注入作業も簡略化することが可能となる。【００２６】
図２〜図４に詳しく示されるように、流体容器ユニット１は、その主要な構成要素として、前記第１容器１０Ａ及び第２容器１０Ｂの他、これら両容器を連結する容器連結具２０、単一のノズル部材３０、容器連結具２０の一側（図１〜図４における上側）を覆う連結キャップ４０、この連結キャップ４０内に保持される中間アダプタ５０、などを備えている。次に、これらの構成要素について説明する。【００２７】
前記第１容器１０Ａ及び第２容器１０Ｂは、図１及び図２から良く分かるように、中空の略直方体状に形成され、その一端側（図１及び図２における上端側）に円形の第１給排口１６，第２給排口１６がそれぞれ設けられている（図２〜図４参照）。これら給排口１６，１６は、各容器１０Ａ，１０Ｂの一端側からそれぞれ突出するようにして設けられた円筒状の第１給排筒１１，第２給排筒１１の内部に形成されている。図３及び図４に更に詳しく示されるように、各給排筒１１，１１の外周部には雄ネジが螺設されており、この雄ネジにキャップ１４（給排筒キャップ）が螺着されて締め付けられている。この給排筒キャップ１４の先端部分（図２における上端部分）の裏面側と給排筒１１の先端面との間に、各給排口１６を閉栓する所定厚さの円板状の閉栓シール１８が装着され固定されている。【００２８】
第１容器１０Ａ及び第２容器１０Ｂは、好ましくは、それぞれ所定の成形型を用いて合成樹脂材料により中空の略直方体状に成形して得られたものである。また、給排筒キャップ１４及び閉栓シール１８も、好ましくは合成樹脂製である。
本実施形態では、給排口１６および給排筒１１は、各容器１０Ａ，１０Ｂの長手方向中心線から所定方向に偏った位置に設けられている。そして、互いの給排口１６および給排筒１１が最も近接するように、所定の側面どうしを当接させて並列配置した状態で、両容器１０Ａ，１０Ｂが一体的に組み立てられている。【００２９】
また、前記容器連結具２０は、第１容器１０Ａ及び第２容器１０Ｂの一端側にそれぞれ位置する第１給排口１６及び第２給排口１６どうしを連結するもので、図３に詳しく示すように、前記第１給排筒１１と第２給排筒１１とを連結する（より具体的には、各給排筒１１の外周部にそれぞれ締結固定された給排筒キャップ１４どうしを連結する）連結壁部２１と、所定間隔を隔てて該連結壁部２１を取り囲む外周壁部２５と、該外周壁部２５の他端（図３における下端）と前記連結壁部２１の他端とを連結する平坦部２７とを備えている。【００３０】
図６は容器連結具２０の全体斜視図であるが、この図から良く分かるように、前記連結壁部２１の一端側の中央には、各給排筒キャップ１４の一端に連接する一対の傾斜ガイド面２８ｓを有し、一側が尖るように形成された中央ガイド部２８が設けられている。この中央ガイド部２８は、各給排口１６からの流体をできるだけスムースに一側へ排出させるガイド作用をなすものである。
尚、図７は、図４のＹ７−Ｙ７線に沿った容器連結具２０と中間アダプタ５０のアダプタ壁部５６の断面の要部を示す説明図で、容器ユニット１の使用状態において容器連結具２０の連結壁部２１と外周壁部２５との間に後述する中間アダプタ５０のアダプタ壁部５６が位置する状態を示している。また、図８は、容器連結具２０と中間アダプタ５０とを組み付けた組付状態を連結具２０側から見て示した説明図である。これら図７及び図８については後述する。【００３１】
図３及び図４に詳しく示されるように、前記連結壁部２１の他端内側には、内方に所定量だけ突出する複数の爪部２１ｄが形成されており、これら各爪部２１ｄが給排筒キャップ１４の他端の凸部１４ｐに係合することにより、容器連結具２０が第１給排筒キャップ１４及び第２給排筒キャップ１４に嵌合し、両者が堅固に連結される。
これにより、第１容器１０Ａ及び第２容器１０Ｂの一端側にそれぞれ位置する第１給排口１６及び第２給排口１６どうしが容器連結具２０で堅固に連結され、第１容器１０Ａと第２容器１０Ｂとを堅固に一体化して組み立てることができるようになっている。【００３２】
図１及び図２に示されるように、好ましくは、各容器１０Ａ，１０Ｂの側壁には、その長手方向の略中間位置から底面１９にかけて、所定深さで所定幅の段差領域１０ｓが設けられており、この段差領域１０ｓに収縮フィルム５を適用して両容器の側面を一体に巻回し連結することができるようになっている。
第１容器１０Ａ及び第２容器１０Ｂの一端側の第１給排口１６及び第２給排口１６どうしを容器連結具２０で連結することに加えて、前記段差領域１０ｓに収縮フィルム５を適用して両容器１０Ａ，１０Ｂの側面を一体に巻回し連結することにより、両容器１０Ａ，１０Ｂをより一層堅固に連結することができる。【００３３】
前記容器連結具２０も、より好ましくは合成樹脂製であり、一種の剛体を構成している。従って、第１容器１０Ａと第２容器１０Ｂとの連結構造について、容器連結具２０の構造や機械的特性に応じた強度および剛性を付与することができる。すなわち、両容器１０Ａ，１０Ｂの側壁を収縮フィルム５によって一体に巻回して連結するだけの場合に比して、遙かに剛性の高い連結構造を実現することができる。【００３４】
図９は前記ノズル部材３０の全体斜視図、図１０はノズル部材３０を基部３４（ノズル基部）側から見て示した説明図である。これらの図に示されるように、ノズル部材３０は、流体使用機器の注入部（不図示）に取り外し可能に取り付けられる円筒状のノズル筒部３１を一端側に有し、該ノズル筒部３１の基部３４（ノズル基部）は、後述する連結キャップ４０の一端側に、ノズル筒部３１の長手軸を中心にして回動可能に保持されている。前記ノズル筒部３１の外周部には、ノズル基部３４に連接する部位に、流体使用機器の注入部の係合要素（不図示）と係合するために、複数の（本実施形態では、例えば６つの）傾斜係合部３９が円周等配状に形成されている。【００３５】
流体使用機器の注入部に設けられた例えばピン状の係合要素（不図示）が、前記傾斜係合部３９の何れか一つと係合することにより、ノズル筒部３１が流体使用機器の注入部に取り付けられるように構成されている。従って、本実施形態の場合には、ノズル筒部３１を流体使用機器の注入部に挿入し、この挿入状態で、後述する連結キャップ４０に対してノズル部材３０を少なくとも略６０度回動させることにより、前記６つの傾斜係合部３９の何れかを流体使用機器の注入部に設けられた例えばピン状の係合要素と係合させ、確実にノズル筒部３１を流体使用機器の注入部に取り付けることができる。このノズル部材３０も、より好ましくは合成樹脂製である。【００３６】
流体使用機器の注入部に設けられた例えばピン状の係合要素（不図示）に対して、ノズル部材３０が装着された後、該ノズル部材３０が一方向へ回動可能なように、前記傾斜係合部３９は形成されている。【００３７】
また、前記連結キャップ４０は、図１〜図４に示されるように、一端側に前記ノズル部材３０のノズル基部３４を回動可能に保持（例えば、嵌合により保持）し、他端側が前記容器連結具２０の外周壁部２５の外周側に嵌合して前記容器連結具２０の一側を覆うもので、やはり、好ましくは合成樹脂製である。尚、図１１は、図３のＹ１１−Ｙ１１線に沿ったノズル部材３０と連結キャップ４０の断面の要部を示す説明図である。この図１１については後述する。
連結キャップ４０は、他端側が容器連結具２０の外周壁部２５の外周側に嵌合し容器連結具２０の一側を覆ってキャップ空間を画定するキャップ本体４１と、該キャップ本体４１の一側の中央部に形成され前記ノズル部材３０のノズル基部３４を保持するノズルホルダ部４３と、前記キャップ本体４１の他端から他側に張り出して第１容器１０Ａ及び第２容器１０Ｂの一側の各側壁を係止する一対の容器側壁係止片４７（図１参照）とを備えている。【００３８】
キャップ本体４１の側壁部の所定箇所には、所定幅および所定長さの複数の横溝４１ｇ（図１参照）が形成されている。一方、容器連結具２０の外周壁部２５の外周側には、前記横溝４１ｇに対応する部位に係止突起２５ｐが設けられており、この係止突起２５ｐを前記横溝４１ｇに嵌合させることにより、連結キャップ４０が容器連結具２０に強固に保持される。尚、前記係止突起２５ｐは、図８に示されるように、可撓性を有するベース板２５ｂ（突起ベース）の比較的先端側に一体的に形成されたものである。【００３９】
前記容器側壁係止片４７の内面には、図５に示されるように、所定量だけ内方へ突出する例えば２枚１組の係止リブ４８が、第１容器１０Ａ用と第２容器１０Ｂ用とに対をなして設けられている。第１容器１０Ａ，第２容器１０Ｂの一側の側壁には、それぞれの係止リブ４８の長さと突出高さに対応して寸法設定された嵌合溝１０ｇ（被係止部）がそれぞれ形成されている。
そして、キャップ本体４１の他端側を容器連結具２０の外周壁部２５の外周部に嵌合させて連結キャップ４０を容器連結具２０に取り付けた状態で、各容器側壁係止片４７の係止リブ４８が第１容器１０Ａ，第２容器１０Ｂの側壁の嵌合溝１０ｇに嵌合し得るようになっている。【００４０】
このように、容器側壁係止片４７の係止リブ４８を第１容器１０Ａ，第２容器１０Ｂの側壁の嵌合溝１０ｇに嵌合させることにより、第１容器１０Ａ及び第２容器１０Ｂの各側壁が連結キャップ４０の容器側壁係止片４７に係止される。従って、第１容器１０Ａと第２容器１０Ｂとは、その一側の第１給排口１６及び第２給排口１６どうしが容器連結具２０によって連結されるだけでなく、各容器１０Ａ，１０Ｂの側壁が連結キャップ４０の他側に係止されることとなり、より強固に一体化される。これにより、例えば、ノズル筒部３１を流体使用機器の注入部に取り外し可能に取り付ける取付作業を行う際においても、ユニット１全体の捩れ変形などが生じることも有効に抑制することができる。【００４１】
また、前記中間アダプタ５０は、連結キャップ４０のキャップ空間内にて、容器連結具２０とノズル部材３０との間を前記ノズル筒部３１の長手軸に沿った方向に移動可能に保持されるもので、やはり、好ましくは合成樹脂製である。
図１２は中間アダプタ５０の全体斜視図、図１３は中間アダプタ５０の側面図、図１４は中間アダプタ５０と前記ノズル部材３０との組み合わせ状態を示す部分断面斜視図、また、図１５は中間アダプタ５０と前記ノズル部材３０及び連結キャップ４０との組付状態を示す部分断面斜視図である。【００４２】
これらの図に示すように、中間アダプタ５０は、ノズル部材３０のノズル筒部３１内に挿入される円筒状のアダプタ筒部５１と、該アダプタ筒部５１の基部５２から他側に突出する一対の押圧子５８と、一端側がアダプタ筒部５１の基部５２に連接し前記一対の押圧子５８を取り囲むようにして他側に広がるアダプタ壁部５６とを備えている。該アダプタ壁部５６の他端側は、容器連結具２０の連結壁部２１と外周壁部２５の間に対応して位置し、平坦部２７に対向している。【００４３】
前記一対の押圧子５８は、中間アダプタ５０の連結キャップ４０内への装着状態で、第１容器１０Ａ及び第２容器１０Ｂの第１給排口１６及び第２給排口１６にそれぞれ対向するように位置設定されている。そして、中間アダプタ５０が連結キャップ４０内で容器連結具２０側へ所定量以上移動することにより、前記一対の押圧子５８が前記第１給排口１６，第２給排口１６の各閉栓シール１８をそれぞれ押し開き、各給排口１６を同時に開栓するように構成されている（図４参照）。【００４４】
また、この開栓した状態では、前記アダプタ壁部５６の端面が前記容器連結具２０の平坦部２７に当接しており、第１給排口１６及び第２給排口１６からそれぞれ排出された流体がアダプタ壁部５６の外部に漏れ出ることが有効に抑制されるようになっている。【００４５】
すなわち、第１給排口１６，第２給排口１６から同時に排出された第１容器１０Ａ，第２容器１０Ｂ内の流体は、アダプタ壁部５６の内部空間及びアダプタ筒部５１を介し、ノズル部材３０のノズル筒部３１を通って排出され、その排出過程で両液が混合される。従って、２つの容器１０Ａ，１０Ｂにそれぞれ貯えられた各流体を、単一のノズルから混合状態で排出させることができる。【００４６】
このように、流体容器ユニット１の一端側（注入側）には単一のノズルが設けられているだけであるので、２つの注ぎ口を取り扱う場合に比して、取付作業性が良好で、また、流体使用機器の注入部もコンパクトにできる。
また、２つの容器１０Ａ，１０Ｂにそれぞれ貯えられた流体が、中間アダプタ５０の内部で混合され、その混合状態で流体使用機器の注入部へ注入されることにより、使用時の両液の混合状態をより良好に保つことも可能になる。【００４７】
尚、第１給排口１６及び第２給排口１６が開栓した状態で、アダプタ壁部５６の端面をより確実かつ安定して容器連結具２０の平坦部２７へ当接した状態に保持するために、前記容器連結具２０の連結壁部２１及び外周壁部２５並びに前記アダプタ壁部５６の他端側の少なくとも何れか１つに、該アダプタ壁部５６の他端側を前記連結壁部２１及び外周壁部２５の少なくとも何れか一方に係止させて、前記アダプタ壁部５６の端面を容器連結具２０の平坦部２７への当接状態に保持するアダプタ壁部保持機構が設けられることが好ましい。【００４８】
本実施形態では、図７に示されるように、容器連結具２０の連結壁部２１の外周に設けた一対の外向きのリブ２１ｒと外周壁部２５の内周に設けた１本の内向きのリブ２５ｒとを組み合わせ、一対の外向きリブ２１ｒと１本の内向きリブ２５ｒとの間にアダプタ壁部５６の他端側を挟み込むことにより、第１給排口１６及び第２給排口１６が開栓した状態で、アダプタ壁部５６の端面をより確実かつ安定して容器連結具２０の平坦部２７へ当接状態に保持できるようにしている。【００４９】
本実施形態に係る流体容器ユニット１は、前記中間アダプタ５０を容器連結具２０側へ移動させ、前記一対の押圧子５８により第１容器１０Ａ及び第２容器１０Ｂの第１給排口１６及び第２給排口１６をそれぞれ開栓する給排口開栓機構を備えている。【００５０】
より具体的に説明すれば、前述のように、ノズル部材３０のノズル基部３４は、連結キャップ４０の一端側に、ノズル筒部３１の長手軸を中心にして回動可能に保持されており、ノズル部材３０が連結キャップ４０に対して（例えば６０度以上）回動させられることで、ノズル筒部３１が流体使用機器（内視鏡洗浄装置の消毒剤タンク）の注入部に取り外し可能に取り付けられるように構成されている。
そして、前記給排口開栓機構は、図１０に示されるように、ノズル部材３０の内面側に（具体的には、ノズル筒部３１の基端側の内周に沿って）設けられ当該ノズル部材３０の回動方向に沿って傾斜する複数の第１傾斜面部３０ｆと、図１１及び図１２に示されるように、中間アダプタ５０の外面側に（具体的には、アダプタ筒部５１の基部５２の外周に沿って）設けられ前記第１傾斜面部３０ｆと組み合わされる複数の第２傾斜面部５０ｆとを備えている。【００５１】
本実施形態では、第１傾斜面部３０ｆは、ノズル筒部３１の基端側の内周の１８０度対向位置に、略９０度にわたって一対に設けられている。これに対応して、第２傾斜面部５０ｆも、アダプタ筒部５１の基部５２の外周の１８０度対向位置に、例えば略９０度にわたって一対に設けられている。【００５２】
そして、ノズル部材３０が一方向に所要角度（例えば略９０度）回動させられることにより、第１傾斜面部３０ｆが一方向に所要角度（例えば略９０度）回動し、この第１傾斜面部３０ｆの傾斜に沿って相対的に案内されるようにして、第２傾斜面部５０ｆが反ノズル部材３０側へ押圧されて移動し、中間アダプタ５０が容器連結具２０側へ（他側へ）所定量移動させられる。この中間アダプタ５０の移動に伴って、その他端側に設けられた一対の押圧子５８が第１給排口１６及び第２給排口１６を開栓する。【００５３】
すなわち、本実施形態に係る流体容器ユニット１では、ノズル部材３０が連結キャップ４０に対して回動させられることで、ノズル筒部３１が流体使用機器の注入部に取り外し可能に取り付けられるように構成されており、ノズル部材３０を一方向に所要角度（例えば略９０度）回動させるだけで、第１傾斜面部３０ｆと第２傾斜面部５０ｆとを介して、確実に、中間アダプタ５０が容器連結具２０側へ所定量移動させられる。この中間アダプタ５０の容器連結具２０側への所定量の移動に伴って、中間アダプタ５０の他側に設けられた一対の押圧子５８が、第１給排口１６及び第２給排口１６を確実に開栓するように設定されている。【００５４】
以上のような給排口開栓機構を備えることにより、中間アダプタ５０に設けた一対の押圧子５８により第１給排口１６及び第２給排口１６が開栓され、第１容器１０Ａ及び第２容器１０Ｂ内の流体を同時に排出され混合状態で流体使用機器の注入部に注入される。つまり、ノズル筒部３１を流体使用機器の注入部へ挿入し、該注入部に設けられた例えばピン状の係合要素に装着し、この状態でノズル部材３０を一方向へ回動させることにより、ノズル筒部３１が流体使用機器の注入部に取り外し可能に取り付けられるが、この取付動作に伴って、中間アダプタ５０に設けた一対の押圧子５８により第１給排口１６及び第２給排口１６が開栓される。すなわち、流体使用機器の注入部へのノズル筒部３１の取付動作に伴って、ワンタッチで第１容器１０Ａ及び第２容器１０Ｂ内の流体を同時に排出させ混合状態で流体使用機器の注入部に注入することができるのである。【００５５】
本実施形態に係る流体容器ユニット１では、前述のようにノズル部材３０のノズル基部３４は連結キャップ４０の一端側に回動可能に嵌合保持されており、ノズル部材３０のノズル基部３４と連結キャップ４０との嵌合部には、中間アダプタ５０に容器連結具２０側への所定量の移動を行わせるに足るノズル部材３０の所要回動角度（略９０度）に対応して、ノズル部材３０の回動操作に節度感を付与する節度感付与機構が設けられている。そして、ノズル部材３０の所要回動角度（略９０度）は、ノズル筒部３１を流体使用機器の注入部への取付状態とするに足るノズル部材３０の回動角度（略６０度）よりも所定角度（略３０度）だけ大きく設定されている。【００５６】
前記節度感付与機構は、より具体的には、図９に示されるように、ノズル部材３０のノズル基部３４の外周部に設けられた微小な突起３４ｐと、図１１に示されるように、連結キャップ４０のノズルホルダ部４３に形成され前記微小突起３４ｐを係合させる係合凹部４３ｃとを備えている。
前記微小突起３４ｐは、ノズル部材３０のノズル基部３４の端末鍔部３５の付け根部に、例えば円周２等配状に２個設けられている。一方、図１１に示されるように、前記係合凹部４３ｃは、連結キャップ４０のノズルホルダ部４３のガイド壁部に、例えば円周４等配状に４箇所けられている。各係合凹部４３ｃは、ノズル部材３０の回動方向における両側にテーパ部を備えている。【００５７】
流体容器ユニット１の非使用状態（初期状態）では、微小突起３４ｐが係合凹部４３ｃに嵌り込んだ状態で係合している。そして、ノズル筒部３１を流体使用機器の注入部に取り付けて流体注入を行う際には、ノズル部材３０に一定以上の回動トルクを加えて回動させることにより、微小突起３４ｐが係合凹部４３ｃの溝壁を乗り越えて当該係合凹部４３ｃから外れ、この後は、ノズルホルダ部４３のガイド壁部４４にガイドされて低いトルクでスムースに回動する。更にノズル部材３０を回動操作し、初期状態から略９０度回動させると、再び微小突起３４ｐが係合凹部４３ｃに嵌り込んで係合する。この係合状態を脱するには、再びノズル部材３０に一定以上の回動トルクを加える必要がある。【００５８】
このように、微小突起３４ｐが係合凹部４３ｃから外れて係合状態を脱する際に要する回動トルクと、係合状態を脱した微小突起３４ｐがガイド壁部４４にガイドされて回動する際に要する回動トルクにはかなりの差があり、操作者は、その違いを回動操作中の節度感（クリック感）として明確に感じ取ることができる。かかる節度感が付与されることにより、操作者はノズル部材３０を初期状態から略９０度回動させたことを感知し、過剰な回動操作を続けることなく、操作を終えることができる。【００５９】
以上のような節度感付与機構を設けたことにより、ノズル筒部３１を流体使用機器の注入部に取り付けて流体注入を行うに際して、操作者は、ノズル部材３０の回動操作中に、中間アダプタ５０が容器連結具２０側へ所定量移動して一対の押圧子５８が第１給排口１６及び第２給排口１６を開栓したことを、回動操作時の節度感により感知することができる。従って、ノズル部材３０に過剰な回動操作が加えられることを確実に防止できる。【００６０】
また、この節度感が付与されるノズル部材３０の所要回動角度（略９０度）は、ノズル筒部３１を流体使用機器の注入部への取付状態とするに足るノズル部材３０の回動角度（略６０度）よりも所定角度（略３０度）だけ大きいので、この節度感が感知された時点では、ノズル筒部３１が流体使用機器の注入部に確実に取り付けられている。しかも、上述のように、ノズル部材３０に過剰な回動操作が加えられることはないので、流体使用機器の注入部のノズル取り合い部分に過剰なトルクが加えられることを確実に防止できる。【００６１】
更に、本実施形態に係る流体容器ユニット１は、前記ノズル筒部３１が流体使用機器の注入部に取り付けられてない非取付状態で、一対の押圧子５８を第１給排口１６及び第２給排口１６から離間状態に維持する位置に中間アダプタ５０を保持するアダプタ保持機構を更に備えており、非取付状態で押圧子５８，５８が不用意に第１給排口１６，第２給排口１６を開栓することが、確実に防止されるようになっている。【００６２】
前記アダプタ保持機構は、より具体的には、図１０に示されるように、ノズル部材３０の内面側に設けられた複数の爪部３０ｄ（アダプタ係止爪）と、図１２及び図１３に示されるように、中間アダプタ５０の外面側に設けられ前記アダプタ係止爪３０ｄと組み合わされる複数の溝部５０ｇ（係止溝）とを備えている。
本実施形態では、アダプタ係止爪３０ｄは、ノズル筒部３１の基端側の内周部の１８０度対向位置に一対に設けられている。これに対応して、係止溝５０ｇも、アダプタ筒部５１の基部５２の外周部の１８０度対向位置に一対に設けられている。【００６３】
図１４及び図１５に示されるように、中間アダプタ５０の係止溝５０ｇがノズル部材３０のアダプタ係止爪３０ｄに係止されたアダプタ係止状態では、一対の押圧子５８が第１給排口１６及び第２給排口１６から離間した状態に維持される位置に中間アダプタ５０が保持される（図２，図３参照）。
そして、ノズル筒部３１が流体使用機器の注入部に取り付けられる取付時には、このようなアダプタ係止状態からノズル部材３０が一方向に回動させられることにより、アダプタ係止爪３０ｄが一方向に回動して中間アダプタ５０の係止溝５０ｇから離脱し、前記アダプタ係止状態が解除され中間アダプタ５０の保持状態が解除される。これにより、当該中間アダプタ５０が容器連結具２０側へ移動できるようになる（図４参照）。【００６４】
このように、アダプタ保持機構によってアダプタ係止状態を維持することで、前記一対の押圧子５８を確実に第１給排口１６及び第２給排口１６から離間状態に維持することができ、このアダプタ係止状態からノズル部材３０を一方向に回動させるだけで、確実に一対の押圧子５８を備えた中間アダプタ５０を容器連結具２０側へ移動可能とすることができる。【００６５】
前述のように、前記ノズル筒部３１が前記流体使用機器の注入部に取り付けられていない非取付状態で、第１容器１０Ａ及び第２容器１０Ｂの第１給排口１６及び第２給排口１６には第１閉栓シール１８及び第２閉栓シール１８がそれぞれ装着されているが、本実施形態では、図４に示されるように、一対の押圧子５８が第１給排口１６及び第２給排口１６の各閉栓シール１８を押し開いて開栓する際には、好ましくは合成樹脂製の閉栓シール１８は、破砕されることなく、斜め方向に変位するように押し開かれて開栓される。そして、図４において２点鎖線で表示されるように、斜め方向に変位した閉栓シール１８によって給排口１６が２つの開口１６ａ，１６ｂに仕切られるようになっている。【００６６】
この２つの開口１６ａ，１６ｂの一方（外側に位置する外側開口１６ｂ）を通って容器１０Ａ，１０Ｂ内の流体がノズル部材３０側に供給され、他方の開口（内側に位置する内側開口１６ａ）を通って容器１０Ａ，１０Ｂ内にエアが導入されるようになっている。
このように、押圧子５８で押し開かれた閉栓シール１８が給排口１６を２つの開口１６ａ，１６ｂに仕切り、一方の開口１６ｂから容器１０Ａ，１０Ｂ内の流体がノズル部材３０側に供給され、他方の開口１６ａから容器１０Ａ，１０Ｂ内にエアが導入されることにより、容易にエアが容器１０Ａ，１０Ｂ内に導入され、脈動が抑制されたスムースな流体供給を行うことができる。【００６７】
以上、説明したように、本実施形態によれば、種類の異なる流体をそれぞれ貯留する第１容器１０Ａと第２容器１０Ｂとを並列配置状態で一体的に組み立ててなる流体容器ユニット１において、第１容器１０Ａの一端側に位置する第１給排口１６と第２容器１０Ｂの一端側に位置する第２給排口１６とを容器連結具２０で連結したことにより、第１容器１０Ａと第２容器１０Ｂとを堅固に一体化して組み立てることができる。【００６８】
また、給排口開栓機構を設けたことにより、中間アダプタ５０に設けた一対の押圧子５８で第１給排口１６及び第２給排口１６が開栓される。つまり、ノズル筒部３１を流体使用機器の注入部に対し取り外し可能に取り付ける取付動作に伴って、ワンタッチで第１容器１０Ａ及び第２容器１０Ｂ内の流体を同時に排出させて流体使用機器の注入部へ注入することができる。【００６９】
更に、流体容器ユニット１の一端側（注入側）には単一のノズル３１が設けられているだけであり、この単一のノズル３１を介して第１容器１０Ａ及び第２容器１０Ｂ内の流体が流体使用機器の注入部へ注入されるので、２つの注ぎ口が並んでいる場合に比して、流体使用機器の注入部への取付作業をより簡単かつ迅速に行えるようになり、その作業性が大いに向上する。【００７０】
また更に、第１給排口１６及び第２給排口１６から同時に排出された第１容器１０Ａ及び第２容器１０Ｂ内の流体は、単一のノズル部材３０を介して送出される過程で混合され、この混合状態で流体使用機器の注入部へ注入されるので、より良好な混合状態を得ることも可能になる。また更に、流体容器ユニット１の注入側には単一のノズル３１が設けられているだけであるので、流体使用機器の注入部もこの単一のノズル３１を受け合うだけでよく、２つの注ぎ口を受け合う場合に比して、流体使用機器の注入部をよりコンパクトにすることができる。【００７１】
尚、以上の実施形態では、一対の押圧子５８が第１給排口１６及び第２給排口１６の各閉栓シール１８を押し開いて開栓する際には、好ましくは合成樹脂製の閉栓シール１８は、破砕されることなく斜め方向に変位するように押し開かれて開栓されるようになっていたが、この代わりに、閉栓シールを例えばアルミニウム箔等の比較的破砕し易い材料で作成し、一対の押圧子５８が第１給排口１６及び第２給排口１６の各閉栓シール１８を押し開いて開栓する際には、閉栓シールが破砕することで押し開かれて開栓するように構成してもよい。但し、この場合には、通常、押し開かれた（破砕された）閉栓シールによって給排口を２つの開口に仕切ることは困難である。【００７２】
また、以上の実施形態は、例えば、内視鏡洗浄装置の消毒剤タンクに所定の消毒剤を混合して供給するのに用いられる流体容器ユニット１についてのものであったが、本発明は、かかる場合に限定されるものではなく、種類の異なる流体をそれぞれ貯留する２本の容器を並列配置状態で一体的に組み立てて流体容器ユニットを構成する他の種々の場合について、有効に適用することができるものである。
このように、本発明は、以上の実施態様に限定されるものではなく、その要旨を逸脱しない範囲において、種々の変更や改良を加え得るものであることは言うまでもない。
【産業上の利用可能性】
【００７３】
本発明の流体容器ユニットは、種類の異なる流体をそれぞれ貯留する２本の容器を並列配置状態で一体的に組み立てて流体容器ユニットを構成するもので、流体使用機器の注入部への取付作業性がより良好で、また、注入部をよりコンパクトにすることができ、例えば、内視鏡洗浄装置の消毒剤タンクに所定の消毒剤を混合して供給するのに用いられる流体容器ユニットなどにおいて、有効に利用することができる。
【図１】
2010044442.tif 000003
【図２】
2010044442.tif 000004
【図３】
2010044442.tif 000005
【図４】
2010044442.tif 000006
【図５】
2010044442.tif 000007
【図６】
2010044442.tif 000008
【図７】
2010044442.tif 000009
【図８】
2010044442.tif 000010
【図９】
2010044442.tif 000011
【図１０】
2010044442.tif 000012
【図１１】
2010044442.tif 000013
【図１２】
2010044442.tif 000014
【図１３】
2010044442.tif 000015
【図１４】
2010044442.tif 000016
【図１５】
2010044442.tif 000017
【国際調査報告】
2010044442.tif 000018
2010044442.tif 000019